(57)【要約】      （修正有）【課題】外観又は形状を異にする複数の種類の仏鈴を安価に提供する。【解決手段】外観又は形状を異にする複数の種類の仏鈴を構成するに際し、仏鈴１を、上端側が開口した球形椀型の鈴本体部１１と、鈴本体部の上端側開口部を覆う鈴カバー部１２と、鈴本体部の内側にあって鈴カバー部を支持する鈴カバー部支持軸１３とで構成し、鈴本体部の構成を共通にして鈴カバー部の構成を変えるか、又は鈴カバー部の構成を共通にして鈴本体部の構成を変えることにより、外観又は形状を異にする複数の種類の仏鈴を構成するようにした。【選択図】図２
0003235314.tif 000002
【実用新案登録請求の範囲】
【請求項１】
外観又は形状を異にする複数の種類の仏鈴を構成するに際し、仏鈴を、上端側が開口した球形椀型の鈴本体部と、鈴本体部の上端側開口部を覆う鈴カバー部と、鈴本体部の内側にあって鈴カバー部を支持する鈴カバー部支持軸とで構成し、鈴本体部の構成を共通にして鈴カバー部の構成を変えるか、又は鈴カバー部の構成を共通にして鈴本体部の構成を変えることにより、外観又は形状を異にする複数の種類の仏鈴を構成するようにしたことを特徴とする仏鈴。
【請求項２】
鈴カバー部の形状が球形椀型の鈴本体部の球面形状に連続する球面形状をしており、鈴本体部および鈴カバー部の全体が球体に形成されていることを特徴とする請求項1記載の仏鈴。
【請求項３】
鈴カバー部の形状が果物の林檎の上端部の形状をしており、鈴本体部および鈴カバー部の全体が果物の林檎の形状に形成されていることを特徴とする請求項1記載の仏鈴。
【請求項４】
球形椀型の鈴本体部の底部が球面形状であり、同球面形状の底部中央の内側には起き上がり小法師機能を実現するための錘部が設けられていることを特徴とする請求項１，２又は３記載の仏鈴。
【考案の詳細な説明】
【技術分野】
【０００１】
本願考案は、仏鈴の構成に関するものである。
【背景技術】
【０００２】
最近では仏壇の形態も大きく変化してきており、リビング等にも置くことができる小型で、モダンな仏壇が多く提供されるようになっている。それに合わせて仏具の形態も大きく変化し、モダンな構成の仏鈴が増えている。
【０００３】
そのようなモダン仏鈴の中には、打鈴され、打鈴時の振動によって発音する鈴本体部と、該鈴本体部を支持する支軸部と、該支軸部を固定支持する鈴台部を備えて構成されたものが多い（例えば特許文献１、特許文献２の構成を参照）。そして、これらの仏鈴では、その外観の全体的な見栄えを規定する鈴本体部又は鈴台部の意匠に種々の工夫を凝らし、できるだけ斬新な意匠のものに構成しようとする傾向が見られる。
【先行技術文献】
【特許文献】
【０００４】
【特許文献１】特許第６４２９０５７号公報
【特許文献２】特開２００６−１３０３０５号公報
【考案の概要】
【考案が解決しようとする課題】
【０００５】
しかし、上記特許文献１及び２の仏鈴の構成の場合、何れの場合にも鈴本体部と鈴本体部を支持する鈴台部とがその仏鈴専用のものとして対応しており、鈴台部又は鈴本体部のいずれかを共用して、外観又は形状を異にする多種多様な複数の種類のデザインの仏鈴を可及的低コストに提供することはできていない。
【０００６】
この出願の考案は、このような事情に基づいてなされたもので、所定の外観又は形状の鈴本体部をベースとして、その鈴カバー部の外観又は形状を変えるか、又は所定の外観又は形状の鈴カバー部をベースとして、その鈴本体部の外観又は形状を変えることによって、多様な複数の種類の仏鈴を安価に提供することができる構造の仏鈴を提供することを目的とするものである。
【課題を解決するための手段】
【０００７】
この出願の考案は、上述の課題を解決するために、次のような課題解決手段を備えて構成されている。
【０００８】
（１）請求項１の考案の課題解決手段
請求項１の考案の課題解決手段は、外観又は形状を異にする複数の種類の仏鈴を構成するに際し、仏鈴を、上端側が開口した球形椀型の鈴本体部と、鈴本体部の上端側開口部を覆う鈴カバー部と、鈴本体部の内側にあって鈴カバー部を支持する鈴カバー部支持軸とで構成し、鈴本体部の構成を共通にして鈴カバー部の構成を変えるか、又は鈴カバー部の構成を共通にして鈴本体部の構成を変えることにより、外観又は形状を異にする複数の種類の仏鈴を構成するようにしている。
【０００９】
すなわち、この考案の課題解決手段では、外観又は形状を異にする複数の種類の仏鈴を構成するに際して、まず仏鈴そのものを、上端側が開口した球形椀型の鈴本体部と、鈴本体部の上端側開口部を覆う鈴カバー部と、鈴本体部の内側にあって鈴カバー部を支持する鈴カバー部支持軸との３つの部分で構成する。
【００１０】
そして、それを前提として、上記鈴本体部の構成を各仏鈴で共通にして鈴カバー部の構成を変えることにより外観又は形状を異にする複数の種類の仏鈴を構成するか、又は鈴カバー部の構成を各仏鈴で共通にして鈴本体部の構成を変えることにより、外観又は形状を異にする複数の種類の仏鈴を構成するようにする。
【００１１】
このような構成によると、外観又は形状を異にする複数の種類の仏鈴における鈴本体部又は鈴カバー部の何れか一方が複数の種類の仏鈴において共通化される。したがって、複数の種類の仏鈴における各仏鈴ごとに鈴本体部と鈴カバー部を１対１の対応で個別に製造（構成）してゆく場合に比べて、遥かに製造効率が高くなり、製品コストが安価になる。
【００１２】
（２）請求項２の考案の課題解決手段
請求項２の考案の課題解決手段は、上記請求項１の考案の課題解決手段において、鈴カバー部の形状が球形椀型の鈴本体部の球面形状に連続する球面形状をしており、鈴本体部および鈴カバー部の全体が球体に形成されている。
【００１３】
この考案の課題解決手段では、外観又は形状を異にする複数の種類の仏鈴を構成するに際して共通化される鈴カバー部の形状が球形椀型の鈴本体部の球面形状に連続する球面形状をしており、鈴本体部および鈴カバー部の全体が球体に形成されている。
【００１４】
したがって、当該鈴カバー部を球形椀型の鈴本体部との関係において組み合わせて使用することによって、地球のような全体として球体形状の斬新なデザインのモダンな仏鈴を容易に構成することができる。そして、その場合において、球形椀型の鈴本体部の形状にバリエーションのあるものを採用すると、当該球体形状をした斬新なデザインの仏鈴のバリエーションを更に増やすことができる。
【００１５】
（３）請求項３の考案の課題解決手段
請求項３の考案の課題解決手段は、上記請求項１の考案の課題解決手段において、鈴カバー部の形状が果物の林檎の上端部の形状をしており、鈴本体部および鈴カバー部の全体が果物の林檎の形状に形成されている。
【００１６】
この考案の課題解決手段では、外観又は形状を異にする複数の種類の仏鈴を構成するに際して共通化される鈴カバー部の形状が果物の林檎の上端部の形状をしており、鈴本体部および鈴カバー部の全体が果物の林檎の形状に形成されている。
【００１７】
したがって、当該鈴カバー部を球形椀型の鈴本体部との関係において組み合わせて使用することによって、果物の林檎の形をした斬新なデザインのモダンな仏鈴を容易に構成することができる。そして、その場合において、球形椀型の鈴本体部の形状にバリエーションのあるものを採用すると、当該林檎の形をした斬新なデザインの仏鈴のバリエーションを更に増やすことができる。
【００１８】
（４）請求項４の考案の課題解決手段
請求項４の考案の課題解決手段は、上記請求項１、２または３の考案の課題解決手段において、球形椀型の鈴本体部の底部が球面形状であり、同球面形状の底部中央の内側には起き上がり小法師機能を実現するための錘部が設けられている。
【００１９】
このような構成の場合、外観又は形状を異にする複数の種類の仏鈴を構成するに際して共通化される球形椀型の鈴本体部の底部が球面形状となっていて、その底部中央の内側には起き上がり小法師機能を実現するための錘部が設けられている。
【００２０】
したがって、同構成の球形椀型の鈴本体部を採用することにより、外観および形状を異にする複数の種類の仏鈴の各々に起き上がり小法師機能を付与することができる。その結果、外観又は形状を異にする複数の種類の仏鈴の各々に、さらなる斬新さを付加することができる。
【考案の効果】
【００２１】
以上の結果、この出願の考案によると、外観又は形状を異にする複数の種類の仏鈴を容易、かつ安価に提供できるようになる。
【図面の簡単な説明】
【００２２】
【図１】この出願の考案の実施の形態に係る第１の仏鈴の構成を示す正面図である。
【図２】同第１の仏鈴の構成を示す中央断面図（図１の中央で前後方向に切断し、左側の切断面を見た断面図）である。
【図３】同第１の仏鈴の鈴本体部の構成を示す図２と同様の中央断面図である。
【図４】同第１の仏鈴の鈴カバー部の構成を示す図２と同様の中央断面図である。
【図５】この出願の考案の実施の形態に係る第２の仏鈴の構成を示す正面図である。
【図６】同第２の仏鈴の構成を示す中央断面図（図５の中央で前後方向に切断し、左側の切断面を見た断面図）である。
【図７】同第２の仏鈴の鈴本体部の構成を示す図６と同様の中央断面図である。
【図８】同第２の仏鈴の鈴カバー部の構成を示す図６と同様の中央断面図である。
【図９】この出願の考案の実施の形態に係る第３の仏鈴の構成を示す正面図である。
【図１０】同第３の仏鈴の構成を示す中央断面図（図９の前後方向中央で左右方向に切断し、背面側の切断面を見た断面図）である。
【図１１】同第３の仏鈴の鈴本体部の構成を示す図１０と同様の中央断面図である。
【図１２】同第３の仏鈴の鈴カバー部の構成を示す図１０と同様の中央断面図である。
【図１３】この出願の考案の実施の形態に係る第４の仏鈴の構成を示す正面図である。
【図１４】同第４の仏鈴の構成を示す中央断面図（図１３の前後方向中央で左右方向に切断し、背面側の切断面を見た断面図）である。
【図１５】同第４の仏鈴の鈴本体部の構成を示す図１４と同様の中央断面図である。
【図１６】同第４の仏鈴の鈴カバー部の構成を示す図１４と同様の中央断面図である。
【考案を実施するための形態】
【００２３】
以下、本願考案の実施の形態に係る仏鈴の構成および作用について、添付の図１〜図１６を参照して詳細に説明する。以下に述べる実施の形態においては、対象となる仏鈴の一例として、たとえば最近多くなっているモダン仏壇に適したものが採用されている。
【００２４】
図１〜図１６には、それぞれ外観又は形状を異にする本願考案の実施の形態に係る第１〜第４の仏鈴の構成が示されている。図１〜図１６のうち、図１〜図４が第１の仏鈴の構成を、図５〜図８が第２の仏鈴の構成を、図９〜図１２が第３の仏鈴の構成を、図１３〜図１６が第４の仏鈴の構成を示している。
【００２５】
この実施の形態の場合、これら第１〜第４の４種類の外観又は形状を異にする仏鈴を構成するに際し、第１および第３の仏鈴における鈴本体部の構成を相互に共通のものとし、また第２および第４の仏鈴における鈴本体部の構成を相互に共通のものとして構成されている。また、第１および第２の仏鈴の鈴カバー部の構成を相互に共通のものとし、また第３および第４の仏鈴の鈴カバー部の構成を相互に共通のものとして構成されている。
【００２６】
すなわち、この実施の形態では、仏鈴を打鈴により発音する鈴本体部と該鈴本体部の上端側開口部をカバーする鈴カバー部の構成をそれぞれ外観又は形状を異にする２種類のもので構成し、それらを所望に組み合わせることによって、全体として球形を中心としながらも有効に外観、形状を異にする第１〜第４の４種類の仏鈴を、容易、かつ安価に製造（構成）できるようにしている。
【００２７】
＜第１の仏鈴の構成＞
まず図１〜図４は、第１の仏鈴１の構成を示している。この第１の仏鈴１は、底部中央１１ａに所定の径の偏平部を形成し、上端側所定位置に中央の直径部分よりも小さい所定の径の開口部１１ｂを形成した内側が空洞の球形椀形の鈴本体部１１と、該鈴本体部１１の上記開口部１１ｂ上に位置して同開口部１１ｂを覆う球面形状の鈴カバー部１２とからなっている。
【００２８】
球面形状の鈴カバー部１２の球面部の曲率は鈴本体部１１の球面部の曲率に等しく形成されていて、所定の隙間１５を介して相互に連続する球面部を形成している。また、鈴本体部１１の底部中央１１ａの偏平部の径は、鈴カバー部１２を設けた球形椀形の鈴本体部１１が打鈴時にも倒れることなく、安定した設置状態を維持できる範囲で、可能な限り小さな直径のものに形成されていて、図１のように全体として見た時に、殆ど偏平面があることが分からず、仏鈴１全体が略完全な球体に見えるように構成されている。
【００２９】
鈴本体部１１の底部中央１１ａの偏平部の内側中央部には鈴カバー部支持軸１３の下端１３ａを螺合固定するための螺合孔１４ａが設けられており、鈴カバー部支持軸１３の下端１３ａが垂直に螺合固定されている。そして、その上端１３ｂが開口部１１ｂの開口面よりも所定寸法上方に突出している。一方、鈴カバー部１２の球面部中央の下面には、鈴カバー支持軸１３の上端１３ｂに螺合固定される螺合孔１４ｂを有する円柱体１２ａが下端側開口部１２ｂの開口面まで延びて設けられている。そして、鈴カバー部１２は、同円柱体１２ａおよびその螺合孔１４ｂを介して鈴カバー支持軸１３の上端１３ｂに螺合固定されることにより、その下端側開口部１２ｂの開口面が鈴本体部１１の上端側開口部１１ｂの開口面との間に周方向の全体に均一な所定の隙間１５を形成する状態で垂直に支持されている。これにより、たとえば図１に示すような、全体として略完全な球体構造の斬新な形状の仏鈴１が構成されている。
【００３０】
そして、同図１および図２の状態において、別途準備されている所定の鈴棒により鈴本体部１１が打たれると、球形椀形の鈴本体部１１の全体が効果的に振動し、内側の空間部で共鳴すると共に、鈴カバー１２の下端側開口部１２ｂの開口面と鈴本体部１１の上端側開口部１１ｂの開口面との間の周方向の全体に均一な所定の隙間１５から余韻のある共鳴音が放出される。
【００３１】
以上の構成における鈴本体部１１および鈴カバー部１２は、一般に音色の良い真鍮などの合金で形成されるが、その外面デザインは自由であり、真鍮色を活かしたオーソドックスなデザインでも良いし、その球体形状を利用して地球をイメージさせるようなブルーの斬新なデザイン（地球鈴）に塗装処理するようにしても良い。
【００３２】
＜第２の仏鈴の構成＞
次に図５〜図８は、第２の仏鈴２の構成を示している。この第２の仏鈴２は、その鈴本体部１１における底部中央１１ａの構造を、上述した第１の仏鈴１の鈴本体部１１における所定の径の偏平部に変えて、底部中央１１ａの全体が球形椀形の鈴本体部１１の球面部と同一の曲率の連続する球面構造となる球面体にして、底部中央１１ａ部分の肉厚を部分的に増大させると共に同部分の重量を大きくし、同部分を錘部として鈴本体部１１に置きあがり小法師機能を付加したことを特徴としている。その他、鈴カバー部１２、鈴カバー部支持軸１３部分の構成は、上記第１の仏鈴１と全く同様である。
【００３３】
そして、この第２の仏鈴２でも、鈴本体部１１および鈴カバー部１２は、一般に音色の良い真鍮などの合金で形成されるが、その外面デザインは自由であり、真鍮色を活かしたオーソドックスなデザインでも良いし、その球体形状を利用して地球をイメージさせるようなブルーの斬新なデザイン（地球鈴）に塗装処理しても良い。
【００３４】
このような構成の場合、鈴カバー部１２の構成が第１の仏鈴１と同一の球面形状のものであり、鈴本体部１１の形状も全体に球状をしているため、第１の仏鈴１と同様に全体として斬新な球体構造のものとなっているが、球形椀形の鈴本体部１１の底部中央１１ａが偏平部である第１の仏鈴１と異なり、鈴本体部１１の底部中央１１ａが完全な球面部となっているので、鈴カバー１２および鈴本体部１１が周方向の全体に均一に揺動し易くなっており、しかも底部中央の内側に錘部が設けられていて重量が部分的に大きいので、揺れても常に鉛直方向に戻ろうとするようになる。
【００３５】
したがって、所定の鈴棒により鈴本体部１１が打たれると、打鈴による衝撃で鈴本体部１１および鈴カバー１２の全体が大きく揺らぎ、ゆらゆらと暫くの間揺れながら、やがて自動的に鉛直状態に復帰して安定する。つまり、外観、形状の斬新さに加え、さらに仏鈴として効果的な起き上がり小法師機能が実現される。また、同起き上がり小法師機能による揺動により、鈴本体部１１の開口部１１ｂと鈴カバー１２の開口部１２ｂとの隙間１５から放出される共鳴音に唸りが生じる。
【００３６】
＜第３の仏鈴の構成＞
次に図９〜図１２は、第３の仏鈴３の構成を示している。この第３の仏鈴３の鈴本体部１１の構成は、図９〜図１１に示すように、上述した第１の仏鈴１の球形椀形の鈴本体部１１の構成（図１〜図３）がそのまま採用されており、同球形椀形の鈴本体部１１の底部中央１１ａは同様の小径の偏平部となっている。
【００３７】
一方、該鈴本体部１１の開口部１１ｂ上に位置して同開口部１１ｂを覆う鈴カバー部１２は、上述した第１の仏鈴１のような鈴本体部１１に連続する球面形状（図１、図２、図４）ではなく、図９、図１０、図１２に示すように、果物の林檎の肩部から上端部分を水平に切断し、その内側を空洞にした形状のものとなっている。この鈴カバー部１２の上面側中央部には、所定の深さの凹部１２ｃが設けられ、さらに同凹部１２ｃの底部中心には所定の軸螺合孔１２ｄが設けられており、同軸螺合孔１２ｄを利用して葉１７の付いた所定の長さの果梗部（果梗軸）１６の下端１６ａが螺合固定されている。
【００３８】
上記鈴カバー部１２の下端側開口部１２ｂの開口面の形状は、上記鈴本体部１１上端の開口部１１ｂの開口面の形状に対応する正円形状となっており、上記凹部１２ｃを除く鈴カバー部１２の外周面は周方向に均一な所定の隙間１５を介して鈴本体部１１の外周面に連続する同一曲率の球面形状となっている。
【００３９】
また、上記鈴カバー１２の上記凹部１２ｃ中央の下面には、鈴本体部１１側鈴カバー部支持軸１３の上端１３ｂに螺合連結される螺合孔１４ｂを有する短い円柱体１２ａが下端側開口部１２ｂの開口面まで延びて設けられている。そして、上記鈴カバー部１２は、同円柱体１２ａおよびその螺合孔１４ｂを介して鈴カバー部支持軸１３の上端１３ｂに螺合固定されることにより、その下端側開口部１２ｂの開口面が鈴本体部１１の上端側開口部１１ｂの開口面との間に周方向の全体に均一な所定の隙間１５を形成する状態で垂直に支持されている。
【００４０】
これにより、たとえば図９〜図１１に示すような、全体として林檎の形をした斬新な形状の仏鈴１が構成されている。
【００４１】
そして、同図９〜図１１の状態において、別途準備されている所定の鈴棒により上記鈴本体部１１が打たれると、同球形椀形の鈴本体部１１の全体が効果的に振動し、内側の空間部で共鳴すると共に、上記林檎形の鈴カバー１２の下端側開口部１２ｂの開口面と鈴本体部１１の上端側開口部１１ｂの開口面との間の周方向の全体に均一な所定の隙間１５から余韻のある共鳴音が放出される。
【００４２】
以上の構成における鈴本体部１１および鈴カバー部１２は、一般に音色の良い真鍮などの合金で形成されるが、その外面デザインは自由であり、真鍮色を活かした林檎の形のデザインでも良いし、赤い林檎の色に塗装するようにしても良い。
【００４３】
＜第４の仏鈴の構成＞
次に図１３〜図１６は、第４の仏鈴４の構成を示している。この第４の仏鈴４の鈴本体部１１の構成は、図１３〜図１５に示すように、上述した第２の仏鈴２の球形椀形の鈴本体部１１の構成（図５〜図７）がそのまま採用されており、鈴本体部１１の底部中央１１ａは鈴本体部１１の球面部と同一の曲率の連続する球面形状（凸面形状）となっている。
【００４４】
そして、それによって底部中央部分の肉厚を部分的に増大させると共に同部分の重量を大きくし、同部分を錘部として鈴本体部１１の全体に起き上がり小法師機能を付加している。その他、鈴カバー部１２、鈴カバー部支持軸１３部分の構成は、上記第３の仏鈴１と全く同様であり、図１３〜図１６に示すように、全体として林檎の形をしている。この場合にも、鈴本体部１１、鈴カバー部１２の材質は第３の仏鈴３と同様のもので形成され、また、必要に応じて同様の採色が施される。
【００４５】
このような構成の場合、鈴カバー部１２の構成が第３の仏鈴３と同一のものであり、鈴本体部１１の形状も球状をしているため、第３の仏鈴３と同様に全体として斬新な林檎の形状のものとなっているが、球形椀形の鈴本体部１１の底部中央１１aが偏平な第３の仏鈴１と異なり、完全な球面部となっているので、鈴カバー部１２および鈴本体部１１が周方向の全体に均一に揺動し易くなっており、しかも底部中央１１ａの内側には錘部が設けられており、重量が部分的に大きくなっているので、揺れても常に鉛直方向に戻ろうとするようになる。
【００４６】
したがって、所定の鈴棒により鈴本体部１１が打たれると、打鈴による衝撃で鈴本体部１１および鈴カバー１２の全体が大きく揺らぎ、ゆらゆらと暫くの間揺れながら、やがて自動的に鉛直状態に復帰して安定する。つまり、仏鈴としては斬新な効果的な起き上がり小法師機能が実現される。また、同起き上がり小法師機能による揺動により、鈴本体部１１の開口部１１ｂと鈴カバー１２の開口部１２ｂとの隙間から放出される共鳴音に唸りが生じる。
【００４７】
＜この出願の考案の実施の形態に係る仏鈴の特徴＞
この出願の考案の実施の形態の場合、上記のように外観、形状を異にする第１〜第４の４種類の仏鈴１〜４を構成するに際し、第１および第３の仏鈴１，３における鈴本体部１１，１１の構成を相互に共通のものとし、また第２および第４の仏鈴２，４における鈴本体部１１，１１の構成を相互に共通のものとして構成されている。また、第１および第２の仏鈴１，２の鈴カバー部１２，１２の構成、第３および第４の仏鈴３，４の鈴カバー部１２，１２の構成をそれぞれ相互に共通のものとして構成されている。
【００４８】
すなわち、この出願の考案の実施の形態では、仏鈴を打鈴により発音する鈴本体部１１と該鈴本体部１１の上端側開口部１１ｂをカバーする鈴カバー部１２の構成をそれぞれ外観又は形状を異にする２種類のもので構成し、それらを所望に組み合わせることによって、全体として球形を中心としながらも有効に外観および形状を異にする第１〜第４の４種類の仏鈴１〜４を効率良く、安価に製造できるようにしている。
【００４９】
したがって、第１〜第４の４種類の仏鈴１〜４の各々について、鈴本体部１１と該鈴本体部１１の上端側開口部１１ｂをカバーする鈴カバー部１２を各々一対の関係で個別に製造し、相互に組み付けて一体化する構成に比べて、遥かに製造効率が高く、より低コストに提供することが可能となる。
【００５０】
また、鈴本体部１１の構成が同一でも、鈴カバー１２の構成を任意の構成のものに変更することにより、さらに外観、形状の異なる多種類の仏鈴を提供することが可能となる。
【符号の説明】
【００５１】
１：第１の仏鈴
２：第２の仏鈴
３：第３の仏鈴
４：第４の仏鈴
１１：鈴本体部
１１ａ：鈴本体部１１の底部中央
１２：鈴カバー部
１３：鈴カバー部支持軸
１５：所定の隙間
１６：果梗部
【図１】
0003235314.tif 000003
【図２】
0003235314.tif 000004
【図３】
0003235314.tif 000005
【図４】
0003235314.tif 000006
【図５】
0003235314.tif 000007
【図６】
0003235314.tif 000008
【図７】
0003235314.tif 000009
【図８】
0003235314.tif 000010
【図９】
0003235314.tif 000011
【図１０】
0003235314.tif 000012
【図１１】
0003235314.tif 000013
【図１２】
0003235314.tif 000014
【図１３】
0003235314.tif 000015
【図１４】
0003235314.tif 000016
【図１５】
0003235314.tif 000017
【図１６】
0003235314.tif 000018